【手続補正書】
【提出日】平成24年10月1日(2012.10.1)
【手続補正１】
【補正対象書類名】明細書
【補正対象項目名】発明の名称
【補正方法】変更
【補正の内容】
【発明の名称】顔画像データ更新装置、顔画像データ更新方法及びプログラム
【手続補正２】
【補正対象書類名】明細書
【補正対象項目名】０００１
【補正方法】変更
【補正の内容】
【０００１】
本発明は、顔画像データ更新装置、顔画像データ更新方法及びプログラムに関する。
【手続補正３】
【補正対象書類名】明細書
【補正対象項目名】０００５
【補正方法】変更
【補正の内容】
【０００５】
そこで、本発明の課題は、このような問題に鑑みてなされたもので、正面以外の角度や方向の画像でも個人の顔の顔検出に適用することができる顔画像データ更新装置、顔画像データ更新方法及びプログラムを提供することにある。
【手続補正４】
【補正対象書類名】明細書
【補正対象項目名】０００６
【補正方法】変更
【補正の内容】
【０００６】
上記課題を解決するため、請求項１に記載の発明の顔画像データ更新装置は、
顔画像データを記憶する画像記憶手段と、第１の記憶手段に記憶された複数の顔画像データの中から、前記画像記憶手段に記憶された顔画像データと類似する顔画像データを検索する検索手段と、前記検索手段により検索された顔画像データに基づいて、前記画像記憶手段に記憶された顔画像データを更新する更新手段と、を備えることを特徴としている。
【手続補正５】
【補正対象書類名】明細書
【補正対象項目名】０００７
【補正方法】変更
【補正の内容】
【０００７】
請求項２に記載の発明は、請求項１に記載の顔画像データ更新装置において、
前記検索手段は、前記第１の記憶手段に記憶された複数の顔画像データの中から、前記画像記憶手段に記憶された顔画像データとの類似度が所定値以上の顔画像データを候補顔画像データとして検索し、前記検索手段により検索された候補顔画像データから、特定の顔画像データを指定する第１の指定手段を備え、前記更新手段は、前記第１の指定手段により指定された特定の顔画像データに基づいて、前記画像記憶手段に記憶された顔画像データを更新することを特徴としている。
【手続補正６】
【補正対象書類名】明細書
【補正対象項目名】０００８
【補正方法】変更
【補正の内容】
【０００８】
請求項３に記載の発明は、請求項２に記載の顔画像データ更新装置において、
前記検索手段による検索の結果、類似する顔画像データが得られたか否かを判断する第１の判断手段と、前記第１の判断手段により類似する顔画像データが得られなかったと判断されると、撮像により新たに顔画像データを取得するよう報知する第１の報知手段と、を更に備えることを特徴としている。
【手続補正７】
【補正対象書類名】明細書
【補正対象項目名】０００９
【補正方法】変更
【補正の内容】
【０００９】
請求項４に記載の発明は、請求項３に記載の顔画像データ更新装置において、
撮像手段と、前記第１の報知手段による報知に基づいて、撮像により新たに顔画像デー
タを取得する旨の指示を検出したか否かを判断する第１の検出判断手段と、この第１の検
出判断手段により前記指示が検出されたと判断されると、前記撮像手段を起動させるよう
制御する起動制御手段と、を更に備えることを特徴としている。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項５に記載の発明は、請求項３又は４に記載の顔画像データ更新装置において、
前記第１の記憶手段は、当該装置本体に対して着脱可能に構成され、前記第１の判断手段により類似する顔画像データが得られなかったと判断されると、前記第１の記憶手段とは異なる第２の記憶手段を新たに装着するよう報知する第２の報知手段を更に備えることを特徴としている。
【手続補正１０】
【補正対象書類名】明細書
【補正対象項目名】００１２
【補正方法】変更
【補正の内容】
【００１２】
請求項６に記載の発明は、請求項５に記載の顔画像データ更新装置において、
前記第２の報知手段による報知後に、第２の記憶手段が新たに装着されたか否かを判断する第２の判断手段を更に備え、前記検索手段は更に、前記第２の判断手段により第２の記憶手段が装着されたと判断されると、当該第２の記憶手段から前記第１の指定手段によって指定された特定の顔画像データと類似する顔画像データを検索することを特徴としている。
【手続補正１１】
【補正対象書類名】明細書
【補正対象項目名】００１３
【補正方法】変更
【補正の内容】
【００１３】
請求項７に記載の発明は、請求項３〜６の何れか一項に記載の顔画像データ更新装置において、
前記第１の判断手段により類似する顔画像データが得られなかったと判断されると、当該装置外部の記憶手段に記憶されている顔画像データを検索するよう報知する第３の報知手段を更に備えることを特徴としている。
【手続補正１２】
【補正対象書類名】明細書
【補正対象項目名】００１４
【補正方法】変更
【補正の内容】
【００１４】
請求項８に記載の発明は、請求項７に記載の顔画像データ更新装置において、
当該装置外部の通信装置と通信する通信手段と、前記第３の報知手段による報知に基づいて、当該装置外部の前記第２の記憶手段を検索する旨の指示を検出したか否かを判断する第２の検出判断手段と、前記第２の検出判断手段により前記指示が検出されたと判断されると、前記通信手段を起動させ、前記装置外部の前記第２の記憶手段に対し前記第１の指定手段によって指定された特定の顔画像データと類似する顔画像データの検索を指示する検索指示手段と、を更に備えることを特徴としている。
請求項９に記載の発明は、請求項１〜８の何れか一項に記載の顔画像データ更新装置において、
前記画像記憶手段に記憶された少なくとも一の顔画像データの中で特定の顔画像データを指定する第２の指定手段を備え、前記検索手段は、前記第２の指定手段により指定された特定の顔画像データと類似する顔画像データを検索することを特徴としている。
【手続補正１３】
【補正対象書類名】明細書
【補正対象項目名】００１５
【補正方法】変更
【補正の内容】
【００１５】
請求項１０に記載の発明は、請求項１〜９の何れか一項に記載の顔画像データ更新装置において、
前記検索手段により検索された顔画像データを表示する表示手段を更に備えたことを特
徴としている。
【手続補正１４】
【補正対象書類名】明細書
【補正対象項目名】００１６
【補正方法】変更
【補正の内容】
【００１６】
請求項１１に記載の発明の顔画像データ更新方法は、
所定の記憶手段に記憶された複数の顔画像データの中から、画像記憶手段により記憶された顔画像データと類似する顔画像データを検索する検索処理と、前記検索手段により検索された顔画像データに基づいて、前記画像記憶手段に記憶された顔画像データを更新する更新処理と、を実行することを特徴としている。
【手続補正１５】
【補正対象書類名】明細書
【補正対象項目名】００１７
【補正方法】変更
【補正の内容】
【００１７】
請求項１２に記載の発明のプログラムは、
コンピュータを、所定の記憶手段に記憶された複数の顔画像データの中から、画像記憶手段により記憶された顔画像データと類似する顔画像データを検索する検索手段、前記検索手段により検索された顔画像データに基づいて、前記画像記憶手段に記憶された顔画像データを更新する更新手段、として機能させることを特徴としている。
【手続補正１６】
【補正対象書類名】特許請求の範囲
【補正対象項目名】全文
【補正方法】変更
【補正の内容】
【特許請求の範囲】
【請求項１】
顔画像データを記憶する画像記憶手段と、
第１の記憶手段に記憶された複数の顔画像データの中から、前記画像記憶手段に記憶された顔画像データと類似する顔画像データを検索する検索手段と、
前記検索手段により検索された顔画像データに基づいて、前記画像記憶手段に記憶された顔画像データを更新する更新手段と、
を備えることを特徴とする顔画像データ更新装置。
【請求項２】
前記検索手段は、
前記第１の記憶手段に記憶された複数の顔画像データの中から、前記画像記憶手段に記憶された顔画像データとの類似度が所定値以上の顔画像データを候補顔画像データとして検索し、
前記検索手段により検索された候補顔画像データから、特定の顔画像データを指定する第１の指定手段を備え、
前記更新手段は、前記第１の指定手段により指定された特定の顔画像データに基づいて、前記画像記憶手段に記憶された顔画像データを更新する
ことを特徴とする請求項１に記載の顔画像データ更新装置。
【請求項３】
前記検索手段による検索の結果、類似する顔画像データが得られたか否かを判断する第１の判断手段と、
前記第１の判断手段により類似する顔画像データが得られなかったと判断されると、撮像により新たに顔画像データを取得するよう報知する第１の報知手段と、
を更に備えることを特徴とする請求項２に記載の顔画像データ更新装置。
【請求項４】
撮像手段と、
前記第１の報知手段による報知に基づいて、撮像により新たに顔画像データを取得する旨の指示を検出したか否かを判断する第１の検出判断手段と、
前記第１の検出判断手段により前記指示が検出されたと判断されると、前記撮像手段を起動させるよう制御する起動制御手段と、
を更に備えることを特徴とする請求項３に記載の顔画像データ更新装置。
【請求項５】
前記第１の記憶手段は、当該装置本体に対して着脱可能に構成され、
前記第１の判断手段により類似する顔画像データが得られなかったと判断されると、前記第１の記憶手段とは異なる第２の記憶手段を新たに装着するよう報知する第２の報知手段を更に備えることを特徴とする請求項３又は４に記載の顔画像データ更新装置。
【請求項６】
前記第２の報知手段による報知後に、第２の記憶手段が新たに装着されたか否かを判断する第２の判断手段を更に備え、
前記検索手段は更に、
前記第２の判断手段により第２の記憶手段が装着されたと判断されると、当該第２の記憶手段から前記第１の指定手段によって指定された特定の顔画像データと類似する顔画像データを検索することを特徴とする請求項５に記載の顔画像データ更新装置。
【請求項７】
前記第１の判断手段により類似する顔画像データが得られなかったと判断されると、当該装置外部の記憶手段に記憶されている顔画像データを検索するよう報知する第３の報知手段を更に備えることを特徴とする請求項３〜６の何れか一項に記載の顔画像データ更新装置。
【請求項８】
当該装置外部の通信装置と通信する通信手段と、
前記第３の報知手段による報知に基づいて、当該装置外部の前記第２の記憶手段を検索する旨の指示を検出したか否かを判断する第２の検出判断手段と、
前記第２の検出判断手段により前記指示が検出されたと判断されると、前記通信手段を起動させ、前記装置外部の前記第２の記憶手段に対し前記第１の指定手段によって指定された特定の顔画像データと類似する顔画像データの検索を指示する検索指示手段と、
を更に備えることを特徴とする請求項７に記載の顔画像データ更新装置。
【請求項９】
前記画像記憶手段に記憶された少なくとも一の顔画像データの中で特定の顔画像データを指定する第２の指定手段を備え、
前記検索手段は、前記第２の指定手段により指定された特定の顔画像データと類似する顔画像データを検索する
ことを特徴とする請求項１〜８の何れか一項に記載の顔画像データ更新装置。
【請求項１０】
前記検索手段により検索された顔画像データを表示する表示手段を更に備えたことを特徴とする請求項１〜９の何れか一項に記載の顔画像データ更新装置。
【請求項１１】
所定の記憶手段に記憶された複数の顔画像データの中から、画像記憶手段により記憶された顔画像データと類似する顔画像データを検索する検索処理と、
前記検索手段により検索された顔画像データに基づいて、前記画像記憶手段に記憶された顔画像データを更新する更新処理と、
を実行することを特徴とする顔画像データ更新方法。
【請求項１２】
コンピュータを、
所定の記憶手段に記憶された複数の顔画像データの中から、画像記憶手段により記憶された顔画像データと類似する顔画像データを検索する検索手段、
前記検索手段により検索された顔画像データに基づいて、前記画像記憶手段に記憶された顔画像データを更新する更新手段、
として機能させることを特徴とするプログラム。